(57)【特許請求の範囲】
【請求項１】
読取手段と、判定手段と、分類手段と、変更手段とを備えた投票用紙分類機の投票用紙分類方法であって、
前記読取手段が投票用紙を読み取る読取工程と、
前記判定手段が前記読取工程にて読み取った投票用紙が有効票、疑問票、無効票のいずれに該当するかを判定する判定工程と、
前記分類手段が前記判定工程の判定結果に応じて投票用紙を分類する分類工程と、
前記変更手段が前記判定工程にて有効票と判定する複数の項目についての許容範囲を変更する変更工程とを実行し、
前記分類工程は、更に前記許容範囲を超える前記項目毎に疑問票を分類する
ことを特徴とする投票用紙分類機の投票用紙分類方法。
【請求項２】
前記許容範囲の変更は、予め設定されている複数の許容範囲の中からいずれかを選択する
ことを特徴とする請求項１記載の投票用紙分類機の投票用紙分類方法。
【請求項３】
前記判定は、前記投票用紙の記入枠に記入された文字のはみ出し量を含み、
前記許容範囲の変更は、前記投票用紙の記入枠に記入された文字のはみ出し量についての許容範囲の選択を含む
ことを特徴とする請求項１または２記載の投票用紙分類機の投票用紙分類方法。
【請求項４】
コンピュータに、
投票用紙を読み取る読取ステップと、
前記読取ステップにて読み取った投票用紙が有効票、疑問票、無効票のいずれに該当するかを判定する判定ステップと、
前記判定ステップの判定結果に応じて投票用紙を分類する分類ステップと
を実行させる投票用紙分類プログラムであって、
前記判定ステップにて有効票と判定する複数の項目についての許容範囲を変更する変更ステップを更に実行し、
前記分類ステップは、前記許容範囲を超える前記項目毎に疑問票を分類する
ことを特徴とする投票用紙分類プログラム。
【請求項５】
前記許容範囲の変更は、予め設定されている複数の許容範囲の中からいずれかを選択する
ことを特徴とする請求項４記載の投票用紙分類プログラム。
【請求項６】
前記判定は、前記投票用紙の記入枠に記入された文字のはみ出し量を含み、
前記許容範囲の変更は、前記投票用紙の記入枠に記入された文字のはみ出し量についての許容範囲の選択を含む
ことを特徴とする請求項４または５記載の投票用紙分類プログラム。
【請求項７】
請求項４ないし６いずれか記載の投票用紙分類プログラムが、コンピュータに読み取り可能に記録された
ことを特徴とする投票用紙分類プログラムを記録した記録媒体。
【請求項８】
投票用紙を読み取る読取手段と、
前記読取手段で読み取った内容から有効票、疑問票、無効票のいずれに該当するかを判定する判定手段と、
前記判定手段による判定結果に応じて投票用紙を分類する分類手段と、
前記判定手段により有効票として判定する複数の項目についての許容範囲を変更する許容範囲変更手段と
を具備し、
前記分類手段は、前記許容範囲変更手段で変更された許容範囲を超える項目毎に疑問票を分類する
ことを特徴とする投票用紙分類機。
【請求項９】
前記許容範囲変更手段は、予め設定されている複数の許容範囲の中からいずれかを選択可能とする
ことを特徴とする請求項８記載の投票用紙分類機。
【請求項１０】
前記判定手段による有効票か否かの判定は、前記投票用紙の記入枠に記入された文字のはみ出し量を含み、
前記許容範囲の変更は、前記投票用紙の記入枠に記入された文字のはみ出し量についての許容範囲の選択を含む
ことを特徴とする請求項８または９記載の投票用紙分類機。
【発明の詳細な説明】
【技術分野】
【０００１】
本発明は、投票用紙を有効票か否か判定して分類する投票用紙分類機の投票用紙分類方法、そのプログラム、そのプログラムを記録した記録媒体、および投票用紙分類機に関する。
【背景技術】
【０００２】
従来、投票用紙分類機においては、投票用紙に記入された手書き文字を読み取り、読み取った文字と予め記憶されている比較文字と対比し、比較文字との合致率の高い文字を得た後に、その文字と誤認識されやすい文字からなる誤り名リストと比較し、誤り名リストとの合致率が高い場合には、認識不能と判定するものが知られている（例えば、特許文献１参照。）。
【特許文献１】特開平２００２−１５０２２２号公報（第３−４頁、図１）
【発明の開示】
【発明が解決しようとする課題】
【０００３】
しかしながら、投票用紙に候補者名を記入した際、間違ったときに塗りつぶしたものや、候補者名の文字が枠からはみ出しているものなどがあり、これらは一般的に投票用紙分類機では認識できない疑問票として扱われていた。
【０００４】
このような疑問票は、開票所において有効票かどうか判定する担当者がいて、１枚毎にその投票が有効かどうかを振り分ける作業を行っており、この作業にかなりの時間を費やしており、１００％開票するまでの時間がかかっているのが現状であった。
【０００５】
疑問票を少なくするには、文字の認識を緩やか（疑問票とする判定基準を甘くする）にするという方法があるが、文字の認識を緩やかな基準に統一してしまうと、この基準が合わない選挙管理委員会や自治体もでてきてしまい、全ての選挙管理委員会や自治体に統一基準では適応できない問題が生じてしまう。
【０００６】
本発明は、このような点に鑑みなされたもので、疑問票となる割合、すなわち有効票と疑問票との判定基準を自由に設定できる投票用紙分類機の投票用紙分類方法、そのプログラム、そのプログラムを記録した記録媒体、および投票用紙分類機を提供することを目的とする。
【課題を解決するための手段】
【０００７】
請求項１記載の投票用紙分類機の投票用紙分類方法は、読取手段と、判定手段と、分類手段と、変更手段とを備えた投票用紙分類機の投票用紙分類方法であって、前記読取手段が投票用紙を読み取る読取工程と、前記判定手段が前記読取工程にて読み取った投票用紙が有効票、疑問票、無効票のいずれに該当するかを判定する判定工程と、前記分類手段が前記判定工程の判定結果に応じて投票用紙を分類する分類工程と、前記変更手段が前記判定工程にて有効票と判定する複数の項目についての許容範囲を変更する変更工程とを実行し、前記分類工程は、更に前記許容範囲を超える前記項目毎に疑問票を分類するものである。
【０００８】
請求項２記載の投票用紙分類機の投票用紙分類方法は、請求項１記載の投票用紙分類機の投票用紙分類方法において、前記許容範囲の変更は、予め設定されている複数の許容範囲の中からいずれかを選択するものである。
【０００９】
請求項３記載の投票用紙分類機の投票用紙分類方法は、請求項１または２記載の投票用紙分類機の投票用紙分類方法において、前記判定は、前記投票用紙の記入枠に記入された文字のはみ出し量を含み、前記許容範囲の変更は、前記投票用紙の記入枠に記入された文字のはみ出し量についての許容範囲の選択を含むものである。
【００１０】
請求項４記載の投票用紙分類プログラムは、コンピュータに、投票用紙を読み取る読取ステップと、前記読取ステップにて読み取った投票用紙が有効票、疑問票、無効票のいずれに該当するかを判定する判定ステップと、前記判定ステップの判定結果に応じて投票用紙を分類する分類ステップとを実行させる投票用紙分類プログラムであって、前記判定ステップにて有効票と判定する複数の項目についての許容範囲を変更する変更ステップを更に実行し、前記分類ステップは、前記許容範囲を超える前記項目毎に疑問票を分類するものである。
【００１１】
請求項５記載の投票用紙分類プログラムは、請求項４記載の投票用紙分類プログラムにおいて、前記許容範囲の変更は、予め設定されている複数の許容範囲の中からいずれかを選択するものである。
【００１２】
請求項６記載の投票用紙分類プログラムは、請求項４または５記載の投票用紙分類プログラムにおいて、前記判定は、前記投票用紙の記入枠に記入された文字のはみ出し量を含み、前記許容範囲の変更は、前記投票用紙の記入枠に記入された文字のはみ出し量についての許容範囲の選択を含むものである。
【００１３】
請求項７記載の投票用紙分類プログラムを記録した記録媒体は、請求項４ないし６いずれか記載の投票用紙分類プログラムが、コンピュータに読み取り可能に記録されたものである。
【００１４】
請求項８記載の投票用紙分類機は、投票用紙を読み取る読取手段と、前記読取手段で読み取った内容から有効票、疑問票、無効票のいずれに該当するかを判定する判定手段と、前記判定手段による判定結果に応じて投票用紙を分類する分類手段と、前記判定手段により有効票として判定する複数の項目についての許容範囲を変更する許容範囲変更手段とを具備し、前記分類手段は、前記許容範囲変更手段で変更された許容範囲を超える項目毎に疑問票を分類するものである。
【００１５】
請求項９記載の投票用紙分類機は、請求項８記載の投票用紙分類機において、前記許容範囲変更手段は、予め設定されている複数の許容範囲の中からいずれかを選択可能とするものである。
【００１６】
請求項１０記載の投票用紙分類機は、請求項８または９記載の投票用紙分類機において、前記判定手段による有効票か否かの判定は、前記投票用紙の記入枠に記入された文字のはみ出し量を含み、前記許容範囲の変更は、前記投票用紙の記入枠に記入された文字のはみ出し量についての許容範囲の選択を含むものである。
【発明の効果】
【００１７】
請求項１記載の投票用紙分類機の投票用紙分類方法によれば、有効票として判定する許容範囲を変更可能とするため、選挙によって選挙管理委員会や自治体での運用が異なるのに対応して、疑問票となる割合、すなわち有効票と疑問票との判定基準を自由に設定でき、開票時間を短縮することも可能となる。
【００１８】
請求項２記載の投票用紙分類機の投票用紙分類方法によれば、請求項１記載の投票用紙分類機の投票用紙分類方法の効果に加えて、有効票として判定する許容範囲の変更は、予め設定されている複数の許容範囲の中からいずれかを選択すればよいため、容易に選択できる。
【００１９】
請求項３記載の投票用紙分類機の投票用紙分類方法によれば、請求項１または２記載の投票用紙分類機の投票用紙分類方法の効果に加えて、有効票として判定する許容範囲として、文字のはみ出し量についての許容範囲の選択を含むため、文字が投票用紙の記入枠からはみ出しているものなどの許容範囲を選択できる。
【００２０】
請求項４記載の投票用紙分類プログラムによれば、有効票として判定する許容範囲を変更可能とするため、選挙によって選挙管理委員会や自治体での運用が異なるのに対応して、疑問票となる割合を自由に設定でき、開票時間を短縮することも可能となる。
【００２１】
請求項５記載の投票用紙分類プログラムによれば、請求項４記載の投票用紙分類プログラムの効果に加えて、有効票として判定する許容範囲の変更は、予め設定されている複数の許容範囲の中からいずれかを選択すればよいため、容易に選択できる。
【００２２】
請求項６記載の投票用紙分類プログラムによれば、請求項４または５記載の投票用紙分類プログラムの効果に加えて、有効票として判定する許容範囲として、文字のはみ出し量についての許容範囲の選択を含むため、文字が投票用紙の記入枠からはみ出しているものなどの許容範囲を選択できる。
【００２３】
請求項７記載の投票用紙分類プログラムを記録した記録媒体によれば、請求項４ないし６いずれか記載の投票用紙分類プログラムに従って、コンピュータを動作させることで、有効票として判定する許容範囲を変更でき、疑問票の判定の自由度が増すことができる。
【００２４】
請求項８記載の投票用紙分類機によれば、有効票として判定する許容範囲を変更可能とするため、選挙によって選挙管理委員会や自治体での運用が異なるのに対応して、疑問票となる割合を自由に設定でき、開票時間を短縮することも可能となる。
【００２５】
請求項９記載の投票用紙分類機によれば、請求項８記載の投票用紙分類機の効果に加えて、有効票として判定する許容範囲の変更は、予め設定されている複数の許容範囲の中からいずれかを選択すればよいため、容易に選択できる。
【００２６】
請求項１０記載の投票用紙分類機によれば、請求項８または９記載の投票用紙分類機の効果に加えて、有効票として判定する許容範囲として、文字のはみ出し量についての許容範囲の選択を含むため、文字が投票用紙の記入枠からはみ出しているものなどの許容範囲を選択できる。
【発明を実施するための最良の形態】
【００２７】
以下、本発明の一実施の形態を、図面を参照して説明する。
【００２８】
図６に、投票用紙分類機11を示す。
【００２９】
この投票用紙分類機11は、投票用紙分類機本体12、この投票用紙分類機本体12に増設される１つまたは複数の増設部13、および投票用紙分類機本体12と接続されるパーソナルコンピュータ14を備えている。
【００３０】
パーソナルコンピュータ14には、光ディスクなどの記録媒体15によって投票用紙分類プログラムがインストールされている。
【００３１】
次に、図７に示すように、投票用紙分類機本体12は、機体21の前面下部に候補者記入済みの投票用紙を複数枚重ねて一括して投入する投入口22が設けられ、この投入口22から機体21内に投票用紙を１枚ずつ搬送する搬送通路23が形成されている。
【００３２】
投入口22には、投票用紙を１枚ずつ分離して搬送通路23に繰り出す繰出部24が配設されている。
【００３３】
搬送通路23には、搬送する投票用紙を読み取るイメージスキャナなどの読取手段25を有する読取部26、この読取部26を通過した投票用紙を上方に搬送する縦搬送部27が配設されている。
【００３４】
縦搬送部27の上端では、読取手段25での読取結果に応じて投票用紙を、前方のスタッカ搬送部28と上方の方向変換部29とのいずれかに振り分けることが可能になっている。
【００３５】
スタッカ搬送部28は、機体21の前面に複数段に配設された複数のスタッカ30（図６に示す）に読取手段25での読取結果に応じて投票用紙を搬送して分類する。スタッカ30は、投票用紙の種類が予め設定されている。
【００３６】
方向変換部29は、投票用紙を増設部13に送り込む。
【００３７】
次に、図８に示すように、増設部13は、機体31内の上部に、投票用紙分類機本体12の方向変換部29から送り込まれる投票用紙を受け入れて前方へ向けて送り出す方向変換部32、およびこの方向変換部32から前方へ向けて送り出された投票用紙を搬送するスタッカ搬送部33を備えている。
【００３８】
スタッカ搬送部33は、機体31の前面に複数段に配設された複数のスタッカ34（図６に示す）に読取手段25での読取結果に応じて投票用紙を搬送して分類する。
【００３９】
そして、搬送通路23、縦搬送部27、方向変換部29，32およびスタッカ搬送部28，33などで、読取手段25での読取結果に応じて投票用紙をスタッカ30，34に分類する分類手段35が構成されている。
【００４０】
次に、図５に示すように、パーソナルコンピュータ14は、投票用紙分類プログラムに従って制御する制御部41、記録媒体15からデータを読み取る読取ドライブ42、および投票用紙分類プログラムを記憶する記憶部43、ディスプレイである表示部44、およびキーボードなどの操作部45を備えている。
【００４１】
そして、制御部41は、インターフェース46を介して投票用紙分類機本体12側と互いに通信可能に接続され、投票用紙分類機本体12の読取手段25で投票用紙を読み取った読取データを入力し、投票用紙分類プログラムに従ってその投票用紙が有効票か無効票か疑問票かを判定し、判別結果に応じて該当投票用紙を対応するスタッカ30，34に分類させるように制御する。
【００４２】
図３には、投票用紙51を示し、この投票用紙51には、右側半分の領域に選挙名などが記載され、左側半分の領域に候補者名を記入する記入枠52が表示されている。
【００４３】
有効票とは、候補者名に間違いがなく集計に加算される票のことをいう。
【００４４】
無効票は、白紙、候補者名の間違い、読み取れないものなど、集計に加算されない票のことをいう。
【００４５】
疑問票は、候補者名の文字の一部に間違いがあり、有効票とするか無効票とするか判断が必要な票で、その判断は審査係りが行う票のことをいう。例えば、図４(a)が正しい記入例である場合、図４(b)は文字の違う記入例であり、図４(c)は間違えた文字を塗りつぶした記入例であり、図４(d)は読み取れない文字を含む記入例であり、図４(e)は記入枠52から文字がはみ出した記入例である。
【００４６】
そして、制御部41は、投票用紙分類プログラムに含まれる判定プログラムに従って、読取手段25で投票用紙を読み取った読取データから、有効票か無効票か疑問票かを判定する判定手段48の機能を有している。この判定手段48での判定には、正しい候補者名、および許可できる誤字での候補者名が記憶された候補者名テーブルのデータベースが用いられる。
【００４７】
また、制御部41は、投票用紙分類プログラムに含まれる許容範囲変更プログラムに従って、判定手段48により有効票として判定する許容範囲のレベルを変更可能としている。この許容範囲の変更には、許容範囲変更手段として構成される操作部45が用いられる。
【００４８】
許容範囲の変更は、予め設定されている複数の許容範囲のレベルの中からいずれかを選択するようにしている。
【００４９】
許容範囲の変更は、文字の認識についての許容範囲、および文字の認識以外の項目についての許容範囲の選択を含む。例えば、文字の認識については、図２(b)に示すように、許可できる誤字などに応じてレベル１、２、３の許容範囲が設定されている。また、文字の認識以外の項目については、図２(a)に示すように、記入枠52から文字がはみ出す量に応じてレベル１、２、３の許容範囲が設定され、図２(c)に示すように、間違えた文字の塗りつぶしなどの文字以外の記入面積に応じてレベル１、２、３の許容範囲が設定されている。
【００５０】
そして、許容範囲の変更は、選挙によって選挙管理委員会や自治体での運用に応じて任意に行われる。
【００５１】
次に、本実施の形態の作用を図１のフローチャートを参照して説明する。
【００５２】
投票用紙分類機本体12の投入口22に複数枚重ねて投入された記入済みの投票用紙51を、繰出部24で１枚ずつ搬送通路23に繰り出し、読取手段25で読み取る。
【００５３】
読取データはパーソナルコンピュータ14に送られ、判定手段48で有効票か無効票か疑問票かを判別する。
【００５４】
まず、投票用紙51の記入枠52からの文字のはみ出しがあるか否かを判定する（ステップ１）。
【００５５】
投票用紙51の記入枠52からの文字のはみ出しがなければ、文字列を認識し（ステップ２）、認識した文字列を候補者名テーブルと比較する（ステップ３）。
【００５６】
比較の結果、認識した文字列と候補者名テーブルとが合致すれば（ステップ４）、候補者名を確定する（ステップ５）。
【００５７】
候補者名を確定することにより、投票用紙分類機本体12内の該当投票用紙51を、例えば候補者毎に予め設定されているスタッカ30，34に搬送して分類する（ステップ６）。
【００５８】
また、ステップ１において、記入枠52からの文字のはみ出しがあるか判定する際、設定されている許容範囲のレベルで判定する。例えば、レベル１が設定されていれば文字のはみ出し量が５ｍｍ以内であるか判定し、レベル２が設定されていれば文字のはみ出し量が７ｍｍ以内であるか判定し、レベル３が設定されていれば文字のはみ出し量が１０ｍｍ以内であるか判定する。
【００５９】
文字のはみ出し量が設定されたレベルの許容範囲を超えてはみ出していると判定した場合には、疑問票として認識し（ステップ７）、投票用紙分類機本体12内の該当投票用紙51を、予め設定されている疑問票のスタッカ30，34に搬送して分類する（ステップ８）。
【００６０】
また、ステップ４において、認識した文字列を候補者名テーブルと比較する際、許可できる誤字などに応じて設定されている許容範囲のレベルで判定する。例えば、レベル１が設定されていれば誤字などについて比較的厳しく判定し、レベル２が設定されていれば誤字などについてレベル１よりも緩やかに判定し、レベル３が設定されていれば誤字などについて最も緩やかに判定する。
【００６１】
設定されたレベルの許容範囲にない誤字があって合致しないと判定した場合には、疑問票として認識し（ステップ７）、投票用紙分類機本体12内の該当投票用紙51を、予め設定されている疑問票のスタッカ30，34に搬送して分類する（ステップ８）。
【００６２】
また、ステップ４において、認識した文字列を候補者名テーブルと比較する際、間違えた文字の塗りつぶしなどの文字以外の記入面積に応じて設定されている許容範囲のレベルで判定する。例えば、レベル１が設定されていれば文字以外の記入面積が０．３ｃｍ2以内であるか判定し、レベル２が設定されていれば文字以外の記入面積が０．５ｃｍ2以内であるか判定し、レベル３が設定されていれば文字以外の記入面積が１ｃｍ2以内であるか判定する。
【００６３】
文字以外の記入面積が設定されたレベルの許容範囲を超えていると判定した場合には、疑問票として認識し（ステップ７）、投票用紙分類機本体12内の該当投票用紙51を、予め設定されている疑問票のスタッカ30，34に搬送して分類する（ステップ８）。
【００６４】
疑問票の分類については、許容範囲を超えた項目毎に分類してもよい。
【００６５】
この投票用紙分類機11の運用では、例えば、まず最も厳しい許容範囲（レベル１）に設定して投入口22に投入された１回目の投票用紙51の処理を行い、分類された疑問票を取り出して有効票か無効票かを確認する。それに応じて、許容範囲をレベル２やレベル３に変更し、疑問票のみを再度処理し、有効票となる投票用紙51や、疑問票となる投票用紙51を確認する。必要に応じて、許容範囲を再度変更し、疑問票を再度処理して確認する。許容範囲の変更設定後は、その設定で運用する。なお、選挙管理委員会や自治体で予め変更設定した許容範囲で運用してもよい。
【００６６】
このように、有効票として判定する許容範囲を変更可能とするため、選挙によって選挙管理委員会や自治体での運用が異なるのに対応して、疑問票となる割合、すなわち有効票と疑問票との判定基準を自由に設定できる。
【００６７】
そのため、選挙管理委員会や自治体の判断で、疑問票となる割合が少なくなるように許容範囲を変更することにより、疑問票の確認に費やす時間を少なくでき、開票時間を短縮するができる。
【００６８】
また、有効票として判定する許容範囲の変更は、予め設定されている複数の許容範囲の中からいずれかを選択すればよいため、容易に選択できる。
【００６９】
また、有効票として判定する許容範囲として、文字の認識以外の項目についての許容範囲の選択を含むため、例えば間違ったときに塗りつぶしたものや文字が枠からはみ出しているものなどの許容範囲を選択できる。
【図面の簡単な説明】
【００７０】
【図１】本発明の一実施の形態を示す投票用紙分類方法のフローチャートである。
【図２】同上投票用紙分類方法で有効票として判定する許容範囲を示し、(a)は枠からの文字のはみ出し量の許容範囲のレベルを示す説明図、(b)は文字の許容範囲のレベルを示す説明図、(c)は文字以外の記入面積の許容範囲のレベルを示す説明図である。
【図３】同上投票用紙の説明図である。
【図４】同上投票用紙の記入例を示し、(a)は正しい記入例を示す説明図、(b)は文字の違う記入例を示す説明図、(c)は間違えた文字を塗りつぶした記入例を示す説明図、(d)は読み取れない文字を含む記入例を示す説明図、(e)は記入枠から文字がはみ出した記入例を示す説明図である。
【図５】同上投票用紙分類機のブロック図である。
【図６】同上投票用紙分類機の構成図である。
【図７】同上投票用紙分類機本体の断面図である。
【図８】同上投票用紙分類機本体に増設するスタッカの断面図である。
【符号の説明】
【００７１】
11    投票用紙分類機
15    記録媒体
25    読取手段
35    分類手段
45    許容範囲変更手段としての操作部
48    判定手段
51    投票用紙
52 記入枠
【図１】
0005258346.tif 000002
【図２】
0005258346.tif 000003
【図３】
0005258346.tif 000004
【図４】
0005258346.tif 000005
【図５】
0005258346.tif 000006
【図６】
0005258346.tif 000007
【図７】
0005258346.tif 000008
【図８】
0005258346.tif 000009